(57)【要約】【課題】回転式クリーニングの弊害防止と再生装置挿入口の誤挿入防止用のストッパーピンの干渉を受けずに済む方式の採用。【解決手段】クリーニングディスク１には、クリーニング部材２、平板状、又は棒状にスティック引込まれ防止用ストッパー３を設けたスティック４を前記クリーニングディスク１外周部の左右の一部或は両方に構成し、再生装置５に、該クリーニングディスク１をディスク挿入孔６に挿入し、再生装置５から外へ飛び出している前記クリーニングディスク１に設けた平板状、又は棒状のスティック４を前後に動かすことにより、クリーニング部材２が光ピックアップレンズ７面上で反復動作し、回転することなくクリーニングが行われる。【選択図】図５
2011113634.tif 000002
【特許請求の範囲】
【請求項１】
光ピックアップ装置の対物レンズを清掃するクリーニングディスクにおいて、該対物レンズを清掃するためのクリーニング部材を少なくとも１つ設けたクリーニングディスクであって、該クリーニングディスクは、光ディスク再生装置内で回転させずに光ピックアップレンズをクリーニングする手段として、クリーニング部材を設けたクリーニングディスク外周部の左右どちらか一方、或いは両方へ平板状、又は棒状のスティックをクリーニングディスクが可動可能な状態で取り付けてあり、該平板状、又は棒状のスティックは該クリーニングディスクを再生装置へ装填時に、挿入口より外部へ飛び出す長さを有しており、該平板状、又は棒状のスティックを前後に動かすことで光ピックアップレンズをクリーニングすることを特徴としたクリーニングディスク。
【請求項２】
前記クリーニングディスクを再生装置に装填後、平板状、又は棒状のスティックが挿入口より外部へ飛び出しているが、飛び出し量はディスクが回転しない範囲内で前後に押したり引いたりして動かすために必要な長さを有すると共に、該平板状、又は棒状のスティックが再生装置内へ入り込まないようにスティックの途中へストッパーを設けてあることを特徴とした請求項１記載のクリーニングディスク。
【発明の詳細な説明】
【技術分野】
【０００１】本発明は、光ピックアップのレンズをクリーニングするクリーニングディスクに関するものである。
【背景技術】
【０００２】光ピックアップレンズクリーニング用のディスクには従来から光ディスク、及光磁気ディスク等が用いられており、これらディスクのＴＯＣエリア近傍、又はプログラムエリア内周近傍に光ピックアップレンズ清掃用のクリーニング部材が少なくとも１つ設けられている。このクリーナーを再生装置で再生することにより、クリーニングディスクが回転し対物レンズとブラシが接触しクリーニングを行う。
この様にディスクが回転することでクリーニングする方式では、クリーニングディスクに設けられたブラシが対物レンズ以外のプレーヤ内部のメカ等にも接触する場合が考えられる。その結果メカ部の油や汚れがブラシに付着し、その汚れ等が対物レンズに付くこととなり逆効果となる。
【発明の概要】
【発明が解決しようとする課題】
【０００３】解決しようとする課題は、クリーニングディスクを回転させクリーニングする事で発生し易いレンズクリーニングへの障害をなくす点と、既にディスクを回転させずにクリーニングするタイプのクリーナーも存在し、中でも光ディスクを利用したゲーム機においてはそれら専用のクリーナーもあるが、特にこれらゲーム専用機においては、ゲーム機挿入口の左右か左右のどちらかに、一枚目のディスクを取り出さずに２枚目のディスクを誤って入れるのを防ぐ為の誤挿入防止用ストッパーピンが設けてある。
その結果実際の開口部は非常に狭くなっており、クリーナーを動かすためのレバーは左右へ動かす構造になっているが可動範囲が小さく、十分なクリーニングが行われない場合が考えられる。
【課題を解決するための手段】
【０００４】本発明では、これら従来製品の問題点を解決すべく、クリーニングディスクを再生装置へ装填した状態で再生装置ディスク挿入口から外側へ、一定の長さを持った平板状、又は棒状のスティックをクリーニングディスクの外周部の左右の一部、或いは両方へ設けてある。該クリーニングディスクを再生装置へ装填し、再生装置から外へ飛び出している前記クリーニングディスクに設けた平板状、又は棒状のスティックを前後に動かすことにより、クリーニング部材が光ピックアップレンズ面上で反復動作し、回転することなくクリーニングが行われる。又平板状、又は棒状のスティックを前後に動かすので、挿入口の誤挿入防止用のストッパーピンの干渉を受けずに済むので可動範囲が大きく取れる利点があり、十分なクリーニング効果が得られる。
【発明の効果】
【０００５】本発明のクリーニングディスクは再生装置内で回転せずに、クリーニング部材が光ピックアップのレンズのみと接触しクリーニングが出来、又挿入口の誤挿入防止用のストッパーピンの干渉を受けずに済む構造とした。以上のように本発明は、従来製品では不可能であった対物レンズのみをクリーニングすることを可能とした事に利点がある。
【図面の簡単な説明】
【０００６】
【図１】クリーニングディスクの構成を示す正面図である。
【図２】クリーニングディスクの構成を示す下面図である。
【図３】左右にスティックを設けたクリーニングディスクの構成を示す下面図である。
【図４】再生装置にクリーニングディスクを挿入する状態を示す説明図である。
【図５】クリーニングディスクの実施方法を示す説明図である。（実施例１）
【図６】クリーニングディスクの実施方法を示す説明図である。（実施例２）
【発明を実施するための形態】
【０００７】クリーニングディスクを回転させず、又挿入口の誤挿入防止用のストッパーピンの干渉を受けずに済む様、反復運動させクリーニングするスティックを外周部の左右の一部、或いは両方へ設け操作する事により、光りピックアップレンズ面上のクリーニングを実現した。
【実施例】
【０００８】図１〜図３は本発明のクリーニングディスク１を示すものでクリーニング部材２平板状、又は棒状にスティック引込まれ防止用ストッパー３を設けたスティック４を左右の一部へ形成したもの、（実施例１）及び、該平板状、又は棒状にスティック引込まれ防止用ストッパー３を設けたスティック４を左右両方に形成したもの（実施例２）それぞれで構成している。【０００９】図４は再生装置５のディスク挿入口６にクリーニングディスク１をセットする方法を示すものである。【００１０】図５は実施例１を示すもので、再生装置５のディスク挿入口よりクリーニングディスク１を挿入し、再生装置５から外へ飛び出している前記クリーニングディスク１に設けた平板状、又は棒状のスティック４を前後に動かすことにより、クリーニング部材２が光ピックアップレンズ７面上で反復動作し、回転することなくクリーニングが行われる。【００１１】図６は実施例２を示すもので再生装置５のディスク挿入口よりクリーニングディスク１を挿入し、再生装置５から外へ飛び出している前記クリーニングディスク１左右両方に設けた平板状、又は棒状のスティック４は、いかなる再生時に於いても対応できる様左右両側へ形成したものであるが、そのうちのどちらか一方を前後に動かすことにより、クリーニング部材２が光ピックアップレンズ７面上で反復動作し、回転することなくクリーニングが行われる。
【符号の説明】
【００１２】１：クリーニングディスク
２：クリーニング部材
３：スティック引込まれ防止用ストッパー
４：スティック
５：再生装置
６：ディスク挿入口
７：光ピックアップレンズ
【図１】
2011113634.tif 000003
【図２】
2011113634.tif 000004
【図３】
2011113634.tif 000005
【図４】
2011113634.tif 000006
【図５】
2011113634.tif 000007
【図６】
2011113634.tif 000008